(57)【要約】
【課題】　ボーリング球を強固に固定して正確な位置に穴を開けることができ、スムーズにドリルの取り替え、出し入れを行なうことができ、更に、ボーリング球を取り出す時にドリルに当たってできる引っかき傷を防止することができるボーリング球穴開け器を提供することを目的とする。
【解決手段】　上記課題を解決するため、台座上に設置された支柱の上端に取り付けられた頭座と、上記頭座のドリル軸下方の上記台座上にボーリング球を固定する為に固定設置された球受け座と、上記球受け座上に設置された環状フレームとを有し、上記環状フレームは、周縁に制限溝を有し、上記制限溝が上記球受け座周縁上に具備される固定ロッドと上記固定ロッドと連結できる圧迫つまみとの連結部分を嵌入させ、上記環状フレームにより上記ボーリング球を上記球受け座内に固定させる構成とされる。
【選択図】　図１
0003099511.tif 000002
【実用新案登録請求の範囲】
【請求項１】
　台座上に設置された支柱の上端に取り付けられた頭座と、
　上記頭座のドリル軸下方の上記台座上にボーリング球を固定するために固定設置された球受け座と、
　上記球受け座上に設置された環状フレームとを有し、
　上記環状フレームは、周縁に制限溝を有し、上記制限溝が上記球受け座周縁上に具備される固定ロッドと上記固定ロッドと連結できる圧迫つまみとの連結部分を嵌入させ、上記環状フレームにより上記ボーリング球を上記球受け座内に固定させることを特徴とするボーリング球穴開け器。
【請求項２】
　上記球受け座、及び上記環状フレーム内壁にそれぞれ密着環状体を具備し、上記密着環状体により上記ボーリング球の表面を防滑及び固定強化の目的を達成するように軟性密着固定することを特徴とする請求項１記載のボーリング球穴開け器。
【請求項３】
　上記環状フレーム周縁の上記制限溝は、開け口が縁側方向に設置され、上端面に上記固定ロッドを嵌入することができる制限縁を有し、
　上記固定ロッドは支軸を有し、上記支軸は上記球受け座周縁上の軸孔に枢軸設置され、上記支軸を軸として上記固定ロッドを倒したり垂直にしたりすることにより、上記制限溝内における上記固定ロッドの迅速な脱着を行うことを特徴とする請求項１記載のボーリング球穴開け器。
【請求項４】
　上記環状フレーム周縁の上記制限溝に相対するもう１つの側は、固定溝でもよく、上記固定溝に相対する側の上記固定ロッド上部に突起部を設置し、
　上記突起部と上記固定溝を軸で枢軸固定して上記球受け座上に上記環状フレームを枢軸設置し、上記環状フレームの開け閉めを行うことにより簡単、迅速に上記ボーリング球の固定、或は解放及び出し入れを行うことを特徴とする請求項１記載のボーリング球穴開け器。
【請求項５】
　上記環状フレーム周縁の上記制限溝に相対するもう１つの側は、制限縁を具備する突起体でもよく、上記突起体内に上記固定ロッド上部及び圧迫つまみをねじ結合させ、
　上記球受け座と上記環状フレームの１つの側を枢軸固定させて簡単に上記環状フレームの開け閉めを行い、簡単、迅速に上記ボーリング球の固定、或は解放及び出し入れを行うことを特徴とする請求項１記載のボーリング球穴開け器。
【請求項６】
　上記球受け座下方の台座上に二次元移動調整装置により前後左右に移動可能な軸座を有し、上記軸座上に二次元角度調整装置を有し、
　上記二次元移動調整装置、上記二次元角度調整装置により上記軸座上の上記球受け座の位置及び角度を調整することを特徴とする請求項１記載のボーリング球穴開け器。
【請求項７】
　上記球受け座は貫通孔に吸気管を連結することも可能であり、上記吸気管に方向転換コントローラー、スイッチ、パイプからなる気体コントロール装置及びポンプを連結し、
　上記球受け座内部の空気を排出或は内部に空気を注入してスムーズに上記ボーリング球を固定、或は取り出すことを特徴とする請求項１記載のボーリング球穴開け器。
【請求項８】
　上記頭座及び上記支柱の連結部分に回転座と上記受け座とを枢軸連結させ、固定ボルトと回転用溝により回転範囲を制限し、上記頭座は回転する上記回転座と一緒に制限範囲内で回転し、上記頭座に設置されたドリルの位置が正面から側面に移動することにより、上記ドリルの取り替えをスムーズに行い、上記回転用溝外側に突出する上記固定ボルト端部と定位棒とにより、上記回転座を固定して上記頭座を任意の位置で固定することを特徴とする請求項１記載のボーリング球穴開け器。
【請求項９】
　上記頭座の上記ドリル軸側は昇降ロッドを有し、上記昇降ロッドは上記頭座側面の標示座底側のストッパーを貫通し、ハンドルを有する調整部を具備し、上記調整部は上記標示座に相対する位置で穴を開ける深さを標示し、上記ストッパーは上記調整部に対してストッパーとしての機能を有することを特徴とする請求項１記載のボーリング球穴開け器。
【請求項１０】
　上記球受け座内側中心の中心座孔は中心軸ロッドを設置可能であり、上記頭座の上記ドリル軸の上記ドリルと相対させ、上記球受け座の上記二次元移動調整装置及び上記二次元角度調整装置により、上記軸座及び上記軸座上方の上記球受け座を動かし、基準点の修正を行うことを特徴とする請求項６記載のボーリング球穴開け器。
【考案の詳細な説明】
【技術分野】
【０００１】
　本考案はボーリング球穴開け器に係るものであり、特に、ボーリング球を固定設置して簡単に穴開け操作をすることができるボーリング球穴開け器に係るものである。
【背景技術】
【０００２】
　従来、ボーリング球には利用者が指を入れてボーリング球を握るための穴が設けられており、この穴を開けるためのボーリング球穴開け器が存在する。このボーリング球穴開け器は、ボーリング球を固定する固定装置と、ドリルなどで穴を開ける穴開け装置などで構成されている。ボーリング球に穴を開ける場合、ボーリング球が滑らないように固定装置で固定し、所定箇所（通常は３箇所で、利用者の親指を入れる穴は他の２つの穴よりも若干大きくなるよう）に穴を形成する。このようなボーリング球穴開け器の機能を向上させるために、研究、開発が行われ、改良が進んでいる。
【考案の開示】
【考案が解決しようとする課題】
【０００３】
　しかしながら、従来のボーリング球穴開け器において、固定装置で強固に固定できずにボーリング球が滑り、正確な位置に穴を開けることができないという問題点があった。
【０００４】
　また、作業員がドリルの取り替えやボーリング球を出し入れする際に、作業員はドリルに腕や手を引っかけて怪我をしてしまい、このような作業には非常に危険を伴なうという問題点があった。また、ドリルの取り扱いに気をつけながら作業を行なうため、スムーズにドリルの取り替え或はボーリング球の出し入れを行なうことができないという問題点があった。
【０００５】
　本考案は、ボーリング球穴開け器において、ボーリング球を強固に固定して正確な位置に穴を開けることができ、スムーズにドリルの取り替え、出し入れを行なうことができ、更に、ボーリング球を取り出す時にドリルに当たってできる引っかき傷を防止することができるボーリング球穴開け器を提供することを目的とする。
【課題を解決するための手段】
【０００６】
　前記の目的を図るために、請求項１に記載されるように、本考案は、台座上に設置された支柱の上端に取り付けられた頭座と、上記頭座のドリル軸下方の上記台座上にボーリング球を固定する為に固定設置された球受け座と、上記球受け座上に設置された環状フレームとを有し、上記環状フレームは、周縁に制限溝を有し、上記制限溝が上記球受け座周縁上に具備される固定ロッドと上記固定ロッドと連結できる圧迫つまみとの連結部分を嵌入させ、上記環状フレームにより上記ボーリング球を上記球受け座内に固定させることを特徴とする。
【０００７】
　また、前記の目的を図るために、請求項２に記載されるように、本考案は、上記球受け座、及び上記環状フレーム内壁にそれぞれ密着環状体を具備し、上記密着環状体により上記ボーリング球の表面を防滑及び固定強化の目的を達成するように軟性密着固定することを特徴とする。
【０００８】
　また、前記の目的を図るために、請求項３に記載されるように、本考案は、上記環状フレーム周縁の上記制限溝は、開け口が縁側方向に設置され、上端面に上記固定ロッドを嵌入することができる制限縁を有し、上記固定ロッドは支軸を有し、上記支軸は上記球受け座周縁上の軸孔に枢軸設置され、上記支軸を軸として上記固定ロッドを倒したり垂直にしたりすることにより、上記制限溝内における上記固定ロッドの迅速な脱着を行うことを特徴とする。
【０００９】
　また、前記の目的を図るために、請求項４に記載されるように、本考案は、上記環状フレーム周縁の上記制限溝に相対するもう１つの側は、固定溝でもよく、上記固定溝に相対する側の上記固定ロッド上部に突起部を設置し、上記突起部と上記固定溝を軸で枢軸固定して上記球受け座上に上記環状フレームを枢軸設置し、上記環状フレームの開け閉めを行うことにより簡単、迅速に上記ボーリング球の固定、或は解放及び出し入れを行うことを特徴とする。
【００１０】
　また、前記の目的を図るために、請求項５に記載されるように、本考案は、上記環状フレーム周縁の上記制限溝に相対するもう１つの側は、制限縁を具備する突起体でもよく、上記突起体内に上記固定ロッド上部及び圧迫つまみをねじ結合させ、上記球受け座と上記環状フレームの１つの側を枢軸固定させて簡単に上記環状フレームの開け閉めを行い、簡単、迅速に上記ボーリング球の固定、或は解放及び出し入れを行うことを特徴とする。
【００１１】
　また、前記の目的を図るために、請求項６に記載されるように、本考案は、上記球受け座下方の台座上に二次元移動調整装置により前後左右に移動可能な軸座を有し、上記軸座上に二次元角度調整装置を有し、上記二次元移動調整装置、上記二次元角度調整装置により上記軸座上の上記球受け座の位置及び角度を調整することを特徴とする。
【００１２】
　また、前記の目的を図るために、請求項７に記載されるように、本考案は、上記球受け座は貫通孔に吸気管を連結することも可能であり、上記吸気管に方向転換コントローラー、スイッチ、パイプからなる気体コントロール装置及びポンプを連結し、上記球受け座内部の空気を排出或は内部に空気を注入してスムーズに上記ボーリング球を固定、或は取り出すことを特徴とする。
【００１３】
　また、前記の目的を図るために、請求項８に記載されるように、本考案は、上記頭座及び上記支柱の連結部分に回転座と上記受け座とを枢軸連結させ、固定ボルトと回転用溝により回転範囲を制限し、上記頭座は回転する上記回転座と一緒に制限範囲内で回転し、上記頭座に設置されたドリルの位置が正面から側面に移動することにより、上記ドリルの取り替えをスムーズに行い、上記回転用溝外側に突出する上記固定ボルト端部と定位棒とにより、上記回転座を固定して上記頭座を任意の位置で固定することを特徴とする。
【００１４】
　また、前記の目的を図るために、請求項９に記載されるように、本考案は、上記頭座の上記ドリル軸側は昇降ロッドを有し、上記昇降ロッドは上記頭座側面の標示座底側のストッパーを貫通し、ハンドルを有する調整部を具備し、上記調整部は上記標示座に相対する位置で穴を開ける深さを標示し、上記ストッパーは上記調整部に対してストッパーとしての機能を有することを特徴とする。
【００１５】
　また、前記の目的を図るために、請求項１０に記載されるように、本考案は、上記球受け座内側中心の中心座孔は中心軸ロッドを設置可能であり、上記頭座の上記ドリル軸の上記ドリルと相対させ、上記球受け座の上記二次元移動調整装置及び上記二次元角度調整装置により、上記軸座及び上記軸座上方の上記球受け座を動かし、基準点の修正を行うことを特徴とする。
【考案の効果】
【００１６】
　本考案のボーリング球穴開け器において、台座上に設置された支柱の上端に取り付けられた頭座と、頭座のドリル軸下方の台座上にボーリング球を固定するために固定設置された球受け座と、球受け座上に設置された環状フレームとを有し、環状フレームは周縁に制限溝を有し、制限溝が球受け座周縁上に具備される固定ロッドと固定ロッドと連結できる圧迫つまみとの連結部分を嵌入させ、環状フレームによりボーリング球を球受け座内に固定させることにより、ボーリング球を強固に固定して正確な位置に穴を開けることができ、スムーズにドリルの取り替え、出し入れを行なうことができ、更に、ボーリング球を取り出す時にドリルに当たってできる引っかき傷を防止することができる。
【００１７】
　また、本考案のボーリング球穴開け器において、球受け座及び環状フレーム内壁に設置された密着環状体により、ボーリング球の表面を軟性密着固定することにより、防滑及び固定強化の目的を達成し、穴の変形或は欠損を防止することができる。
【００１８】
　また、本考案のボーリング球穴開け器において、球受け座と環状フレームとの開閉式合体構造により、迅速且つ簡単に環状フレームの開け閉めを行うことができる。
【００１９】
　また、本考案のボーリング球穴開け器において、ボーリング球穴開け器の頭座及び支柱の連結部分に回転座と受け座を枢軸連結させることにより、頭座のドリル軸は回転座と一緒に回転し、ドリル軸の位置を変えることにより、直径の異なるドリルの取り替えが便利になる。また、ドリルを取り外す時にドリルに当たることによりできる傷の発生を防止することができる。
【００２０】
　また、本考案のボーリング球穴開け器において、回転座と受け座との枢軸連結により、頭座のドリル軸に設置されたドリルは回転座と一緒に回転し、ドリルの位置が移動することにより、球受け座上方の空間が開放された状態になり、ボーリング球の出し入れを簡単に行なうことができる。同時に、ドリルに当たることによりできる傷の発生を防止することができる。
【考案を実施するための最良の形態】
【００２１】
　以下に添付図面を参照して本考案のある好適な実施の形態を詳細に説明するが、それらの構成は本考案の構造の絶対的な制限にならない。図１は、本考案の一実施例に係るボーリング球穴開け器を示す斜視図である。図２は、本考案の球受け座付近を示す分解斜視図である。図３は、本考案のボーリング球穴開け器の一部分の側面及び断面図である。図４は、本考案のボーリング球穴開け器にボーリングを設置した場合の断面図である。図５は、図４の変形例を示す断面図である。図１、２、３、４は本考案であるボーリング球穴開け器の構造の実施例で、ボーリング球穴開け器の頭座１０は台座１４上に設置された支柱１１の上端に取り付けられ、頭座１０のドリル軸１２下方の台座１４上にボーリング球Ａを固定する為の球受け座３０が固定設置されている。ボーリング球穴開け器の主な特徴は、１つの上記球受け座３０上に１つの環状フレーム４０を設置する構造で、環状フレーム４０は周縁に制限溝４２を有する。制限溝４２は球受け座３０周縁上に具備される固定ロッド３２と、固定ロッド３２と連結できる圧迫つまみ３３との連結部分を嵌入させることができる。環状フレーム４０により、ボーリング球Ａを球受け座３０内に固定させることができる。また、球受け座３０及び環状フレーム４０内壁にそれぞれ密着環状体３１、４１を具備することにより、ボーリング球Ａの表面を軟性密着固定することにより、ボーリング球Ａが動かないよう固定することができる。
【００２２】
　また、図４、５に示すように、密着環状体３１、４１は適当な断面形状でよい。図１、２、５に示すように、環状フレーム４０周縁の制限溝４２は開け口が縁側方向に設置されてもよく、上端面に制限縁４３を有し、固定ロッド３２を嵌入することができる。固定ロッド３２は支軸３４を有し、支軸３４は球受け座３０周縁上の軸孔３５に枢軸設置され、(支軸３４を軸として)固定ロッド３２を倒したり垂直にしたりすることにより、制限溝４２内における固定ロッド３２の迅速な脱着を行うことができる。(即ち、環状フレーム４０の迅速な脱着を実現することができる。)
　図６は、本考案の環状フレームの接合部分を示す分解斜視図である。図７は、本考案のボーリング球穴開け器にボーリングを設置した場合の断面図である。図６、７に示すように、環状フレーム４０周縁の１つの制限溝４２に相対するもう１つの側は固定溝４４でもよい。固定溝４４に相対する側の固定ロッド３２上部に突起部３６を設置し、突起部３６と固定溝４４を軸４５で枢軸固定することにより、球受け座３０上に環状フレーム４０を枢軸設置することができ、簡単に環状フレーム４０の開け閉めを行うことができる為、ボーリング球Ａの脱着を迅速に行うことができる。
【００２３】
　図８は、本考案の環状フレームの接合部分を示す分解斜視図である。図９は、本考案のボーリング球穴開け器にボーリングを設置した場合の断面図である。図８、９に示すように、環状フレーム４０周縁の１つの制限溝４２に相対するもう１つの側は制限縁４７を具備する突起体４６でもよい。突起体４６内に固定ロッド３２上部及び圧迫つまみ３３をねじ結合させることにより、球受け座３０と環状フレーム４０の１つの側を枢軸固定させることができる。従って、簡単に上記環状フレーム４０の開け閉めを行うことができる為、ボーリングＡの脱着を迅速に行うことができる。
【００２４】
　図１、２、３に示すように、球受け座３０下方の台座１４上に二次元移動調整装置１６により前後左右に動かすことができる軸座１５を有し、軸座１５上に二次元角度調整装置１７を有することにより、軸座１５上の球受け座３０の位置及び角度を調整することができる。図1、２、３、４に示すように、球受け座３０は貫通孔５１に吸気管５２を連結することもできる。吸気管５２に方向転換コントローラー５３、スイッチ５４、パイプ５５からなる気体コントロール装置５０及びポンプ５６を連結する。球受け座３０内部の空気を排出或は内部に空気を注入することにより、ボーリング球Ａを固定或は取り出しやすくすることができる。
【００２５】
　図１０は、本考案の頭座付近の動作を示す斜視図である。図１１は、本考案の頭座付近の動作を示す斜視図である。図１、１０、１１に示すように、ボーリング球穴開け器の頭座１０及び支柱１１の連結部分に回転座２２と受け座２１を枢軸連結させ、固定ボルト２４と回転用溝２３により、回転範囲を制限する。これにより頭座１０は回転する回転座２２と一緒に制限範囲内で回転し、頭座１０に設置されたドリル１３の位置が正面から側面に移動することにより、スムーズにドリル１３の取り替え或はボーリング球Ａの出し入れを行なうことができる。回転用溝２３外側に突出する固定ボルト２４端部と定位棒２５とにより、回転座２２を固定することができ、ボーリング球穴開け器の頭座１０を任意の位置で固定することができる。
【００２６】
　図１２は、本考案の頭座付近を示す斜視図である。図１、１２に示すように、ボーリング球穴開け器の頭座１０のドリル軸１２側は１つの昇降ロッド６１を有し、昇降ロッド６１は頭座１０側面の標示座６２底側のストッパー６３を貫通する。また、ハンドル６５を有する調整部６４を具備し、調整部６４は標示座６２に相対する位置で穴を開ける深さを標示し、又、ストッパー６３は調整部６４に対してストッパーとして機能を果たすことができる。
【００２７】
　図１３は、本考案の球受け座とドリルとの位置関係の調整を説明するための斜視図である。図１、２、１３に示すように、球受け座３０内側中心の中心座孔３８は１つの中心軸ロッド６６を設置することができ、頭座１０のドリル軸１２のドリル１３と相対させ、球受け座３０の二次元移動調整装置１６及び二次元角度調整装置１７により、軸座１５及び軸座１５上方の球受け座３０を動かし、基準点の修正を行うことができる。
【００２８】
　上記構造の本考案は１つの球受け座３０上に１つの上記環状フレーム４０を設置する構造で、環状フレーム４０は周縁に制限溝４２を有する。制限溝４２は球受け座３０周縁上に具備される固定ロッド３２と固定ロッド３２と連結できる圧迫つまみ３３との連結部分を嵌入させることができる。環状フレーム４０によりボーリング球Ａを球受け座３０内に固定させることができることを主な特徴とし、環状フレーム４０周縁の制限溝４２は開け口が縁側方向に設置され、固定ロッド３２を嵌入することができ、固定ロッド３２を倒したり垂直にしたりすることにより、制限溝４２内への迅速な脱着を行うことができる。
【００２９】
　更に、環状フレーム４０周縁の１つの制限溝４２に相対するもう１つの側は固定溝４４で、固定ロッド３２の突起部３６と連結されることにより、環状フレーム４０は球受け座３０上に枢軸設置され、環状フレーム４０の開け閉めを行うことにより、ボーリング球Ａの固定或は解放を迅速に行うことができる。或は、環状フレーム４０周縁の１つの制限溝４２に相対するもう１つの側は、制限縁４７を具備する突起体４６で、突起体４６内に固定ロッド３２上部及び圧迫つまみ３３をねじ結合させる。これにより、環状フレーム４０はボーリング球Ａの固定或は解放を迅速に行うことができ、又、ボーリング球Ａを安定固定することができる為、ボーリング球Ａに穴を開ける時に発生する穴の広げ過ぎ、引っかき傷を防止することができる。更に、ボーリング球Ａの固定及び解放が簡単に素早くできる為、ボーリング球Ａの出し入れも迅速に行うことができる。
【００３０】
　更に、球受け座３０は貫通孔５１に吸気管５２、気体コントロール装置５０及びポンプ５６を連結し、球受け座３０内部の空気を排出、或は内部に空気を注入することにより、ボーリング球Ａを固定、或は取り出しやすくすることができる。
【００３１】
　また、ボーリング球穴開け器の頭座１０及び支柱１１の連結部分に回転座２２と受け座２１を枢軸連結させ、固定ボルト２４と回転用溝２３により、回転範囲を制限する。これにより、頭座１０は回転する回転座２２と一緒に制限範囲内で回転し、頭座１０に設置されたドリル１３の位置が正面から側面に移動する。従って、スムーズにドリル１３の取り替え或はボーリング球Ａの出し入れを行なうことができ、同時に引っかき傷を防止することができる。
【００３２】
　また、頭座１０は昇降ロッド６１、標示座６２、ハンドル６５を具備する調整部６４を有する。調整部６４は標示座６２に相対する位置で穴を開ける深さを標示することができ、また、標示座６２底部のストッパー６３は調整部６４に対してストッパーとして機能を果たすことができる。
【００３３】
　また、球受け座３０内側中心の中心座孔３８は１つの中心軸ロッド６６を設置することができる。頭座１０のドリル軸１２のドリル１３と相対させ、球受け座３０の二次元移動調整装置１６及び二次元角度調整装置１７により、軸座１５及び軸座１５上方の球受け座３０を動かし、基準点の修正を行うことができる。
【００３４】
　以下に、本考案の効果及び長所を説明する。
【００３５】
　本考案のボーリング球穴開け器において、球受け座３０と環状フレーム４０との合体構造により、ボーリング球Ａを安定固定させることができる為、ボーリング球Ａに穴を開ける時に（ボーリング球Ａが動くことにより）発生する穴の広げ過ぎを防止することができる。
【００３６】
　また、本考案のボーリング球穴開け器において、球受け座３０及び環状フレーム４０内壁に設置された密着環状体３１、４１により、ボーリング球Ａの表面を軟性密着固定することにより、防滑及び固定強化の目的を達成し、穴の変形或は欠損を防止することができる。
【００３７】
　また、本考案のボーリング球穴開け器において、球受け座３０と環状フレーム４０との開閉式合体構造により、迅速且つ簡単に環状フレーム４０の開け閉めを行うことができる。
【００３８】
　また、本考案のボーリング球穴開け器において、ボーリング球穴開け器の頭座１０及び支柱１１の連結部分に回転座２２と受け座２１を枢軸連結させることにより、頭座１０のドリル軸１２は回転座２２と一緒に回転し、ドリル軸１２の位置を変えることにより、直径の異なるドリル１３の取り替えが便利になる。又、ドリル１３を取り外す時にドリル１３に当たることによりできる傷の発生を防止することができる。
【００３９】
　また、本考案のボーリング球穴開け器において、回転座２２と受け座２１との枢軸連結により、頭座１０のドリル軸１２に設置されたドリル１３は回転座２２と一緒に回転し、ドリル１３の位置が移動することにより、球受け座３０上方の空間が開放された状態になり、ボーリング球Ａの出し入れを簡単に行なうことができる。同時に、ドリル１３に当たることによりできる傷の発生を防止することができる。
【００４０】
　以下に、本考案による新機能について説明する。
【００４１】
　また、本考案のボーリング球穴開け器において、環状フレーム４０周縁に設置される制限溝４２は開け口が縁側方向に設置され、支軸３４の固定ロッド３２を嵌入することができ、固定ロッド３２を倒したり垂直にしたりすることにより、制限溝４２内への迅速な脱着を行うことができる。
【００４２】
　また、本考案のボーリング球穴開け器において、環状フレーム４０周縁に設置される固定溝４４は固定ロッド３２上部に設置される突起部３６と枢軸固定されることにより、球受け座３０上に環状フレーム４０を枢軸設置することができ、簡単に環状フレーム４０の開け閉めを行うことができ、ボーリング球Ａの固定或は解放を迅速に行うことができる。
【００４３】
　また、本考案のボーリング球穴開け器において、環状フレーム４０周縁に設置される制限溝４２は制限縁４７を有する突起体４６でもよく、突起体４６内に固定ロッド３２上部及び圧迫つまみ３３をねじ結合させることにより、球受け座３０と環状フレーム４０の１つの側を枢軸固定させることができ、簡単に環状フレーム４０の開け閉めを行うことができ、ボーリング球Ａの固定、或は解放を迅速に行うことができる。
【００４４】
　また、本考案のボーリング球穴開け器において、球受け座３０は貫通孔５１に吸気管５２、気体コントロール装置５０及びポンプ５６を連結し、球受け座３０内部の空気を排出或は内部に空気を注入することにより、ボーリング球Ａを固定、或は取り出しやすくすることができる。
【００４５】
　また、本考案のボーリング球穴開け器において、球受け座３０内側中心の中心座孔３８は１つの中心軸ロッド６６を設置することにより、軸座１５上方の球受け座３０の位置修正の為の基準点を提供することができる。
【００４６】
　また、本考案のボーリング球穴開け器において、頭座１０に設置される調整部６４は標示座６２に相対する位置で穴を開ける深さを標示し、又、標示座６２底部に設置されるストッパー６３により調整部６４に対してストッパーとしての機能を果たすことができる。
【００４７】
　尚、本考案のボーリング球穴開け器は上記の構成に限定されることなく、本考案のボーリング球穴開け器を変形及び改良した構成においても適応可能である。
【図面の簡単な説明】
【００４８】
【図１】本考案の一実施例に係るボーリング球穴開け器を示す斜視図である。
【図２】本考案の球受け座付近を示す分解斜視図である。
【図３】本考案のボーリング球穴開け器の一部分の側面及び断面図である。
【図４】本考案のボーリング球穴開け器にボーリングを設置した場合の断面図である。
【図５】図４の変形例を示す断面図である。
【図６】本考案の環状フレームの接合部分を示す分解斜視図である。
【図７】本考案のボーリング球穴開け器にボーリングを設置した場合の断面図である。
【図８】本考案の環状フレームの接合部分を示す分解斜視図である。
【図９】本考案のボーリング球穴開け器にボーリングを設置した場合の断面図である。
【図１０】本考案の頭座付近の動作を示す斜視図である。
【図１１】本考案の頭座付近の動作を示す斜視図である。
【図１２】本考案の頭座付近を示す斜視図である。
【図１３】本考案の球受け座とドリルとの位置関係の調整を説明するための斜視図である。
【符号の説明】
【００４９】
　１０　　　　　　　頭座
　１１　　　　　　　支柱
　１２　　　　　　　ドリル軸
　１３　　　　　　　ドリル
　１４　　　　　　　台座
　１５　　　　　　　軸座
　１６　　　　　　　二次元移動調整装置
　１７　　　　　　　二次元角度調整装置
　２１　　　　　　　受け座
　２２　　　　　　　回転座
　２３　　　　　　　回転用溝
　２４　　　　　　　固定ボルト
　２５　　　　　　　定位棒
　３０　　　　　　　球受け座
　３１、４１　　　　密着環状体
　３２　　　　　　　固定ロッド
　３３　　　　　　　圧迫つまみ
　３４　　　　　　　支軸
　３５　　　　　　　軸孔
　３６　　　　　　　突起部
　３８　　　　　　　中心座孔
　Ａ　　　　　　　　ボーリング球
　４０　　　　　　　環状フレーム
　４２　　　　　　　制限溝
　４３　　　　　　　制限縁
　４４　　　　　　　固定溝
　４５　　　　　　　軸
　４６　　　　　　　突起体
　４７　　　　　　　制限縁
　５０　　　　　　　気体コントロール装置
　５１　　　　　　　貫通孔
　５２　　　　　　　吸気管
　５３　　　　　　　方向転換コントローラー
　５４　　　　　　　スイッチ
　５５　　　　　　　パイプ
　５６　　　　　　　ポンプ
　６１　　　　　　　昇降ロッド
　６２　　　　　　　標示座
　６３　　　　　　　ストッパー
　６４　　　　　　　調整部
　６５　　　　　　　ハンドル
　６６　　　　　　　中心軸ロッド
【図１】
0003099511.tif 000003
【図２】
0003099511.tif 000004
【図３】
0003099511.tif 000005
【図４】
0003099511.tif 000006
【図５】
0003099511.tif 000007
【図６】
0003099511.tif 000008
【図７】
0003099511.tif 000009
【図８】
0003099511.tif 000010
【図９】
0003099511.tif 000011
【図１０】
0003099511.tif 000012
【図１１】
0003099511.tif 000013
【図１２】
0003099511.tif 000014
【図１３】
0003099511.tif 000015